(57)【特許請求の範囲】
【請求項１】
ダクト（１ｂ，１ｄ）を用いて送風するファン（１１）を有する風量一定制御の空気調和機（１）において、前記ダクト（１ｂ，１ｄ）から所定の定格風量を出力させるために前記空気調和機が実行するファン回転数決定方法であって、最高風量レベルを第１タップ、それより低い風量レベルを第２タップとすると、
前記第１タップで前記ファン（１１）を駆動し、前記ファン（１１）の風量が前記定格風量となるファン回転数を探索し、
前記第１タップでファン回転数の探索ができれば、そのファン回転数を前記第１タップのファン回転数として決定し、また、前記定格風量に達しない状態が継続していることを検知すると、前記第２タップへの切り替えを実行し、
前記第２タップで前記ファン（１１）を駆動し、前記ファン（１１）の風量が前記第２タップの風量となるファン回転数を探索し、
前記第２タップで探索したファン回転数を前記第２タップのファン回転数として決定する、
ファン回転数決定方法。
【請求項２】
前記第１タップでのファン回転数の探索中に、ファン回転数の修正が所定回数に達し、かつ、前記第１タップでのファン回転数の上限値を超えるファン回転数で前記ファン（１１）を駆動しようとすることをもって、前記定格風量に達しない状態が継続していると検知する請求項１に記載のファン回転数決定方法。
【請求項３】
前記第１タップでのファン回転数の探索中に、ファン回転数の修正が所定回数に達し、かつ、前記ファン（１１）の運転電力が前記第１タップでの運転電力の下限値より少ない状態であることをもって、前記定格風量に達しない状態が継続していると検知する請求項１記載のファン回転数決定方法。
【請求項４】
ダクト（１ｂ，１ｄ）を用いて送風するファン（１１）と、
前記ファン（１１）の駆動制御を行う機能を有する制御部（１３）と、を備える風量一定制御の空気調和機（１）であって、
最高風量レベルを第１タップ、それより低い風量レベルを第２タップとすると、
前記制御部（１３）は、前記第１タップで前記ファン（１１）を駆動し、前記ファン（１１）の風量が定格風量となるファン回転数を探索し、前記第１タップでファン回転数の探索ができれば、そのファン回転数を前記第１タップのファン回転数として決定し、また、前記定格風量に達しない状態が継続していることを検知すると、前記第２タップへの切り替えを実行し、前記第２タップで前記ファン（１１）を駆動し、前記ファン（１１）の風量が前記第２タップの風量となるファン回転数を探索し、前記第２タップで探索したファン回転数を前記第２タップのファン回転数として決定する、空気調和機。
【発明の詳細な説明】
【技術分野】
【０００１】
本発明は、ダクトを用いて送風するファンを有する空気調和機を現地に据え付ける際の、ファン回転数決定方法に関する。
【背景技術】
【０００２】
ダクトを用いて送風するファンを有する空気調和機は、ダクトの形態（例えば長さや曲がり具合）によって通風抵抗が異なり、機外静圧が異なる。仮に、ファン回転数を一定不変とすると、機外静圧によって実際の風量が異なってくる。機外静圧に関わらず風量を一定にするには、据付時に、機外静圧に応じたファン回転数の設定を行う必要がある。
【０００３】
風量は、風量そのものを実測しなくても、ファン回転数と、そのファン回転数での運転電力とに基づいて推定できる。そこで例えば、ファンを一定ファン回転数で運転したときの運転電力に基づいて、定格風量とするために必要な運転電力若しくはファン回転数を与えるよう制御するダクト型空気調和機が提案されている（例えば、特許文献１参照。）。
【０００４】
なお、風量レベルとしては、典型的には、Ｈタップ、Ｍタップ、Ｌタップがある（例えば、特許文献２参照。）。据付時にファン回転数の設定を行う際は、Ｈタップでの定格風量を満たすべく、ファン回転数の設定が行われる。
【先行技術文献】
【特許文献】
【０００５】
【特許文献１】特開平１０−１４１７４７号公報
【特許文献２】特開平８−２６１５４８号公報
【発明の概要】
【発明が解決しようとする課題】
【０００６】
ところが、据付現地の事情により、商用電源の電圧が定格電圧よりも低下している場合がある。電力供給品質の安定した日本国内でも、例えば、空気調和機のための屋内配線が単独配線になっていない場合があり、このような場合には、電圧降下が生じる。また、電力事情の安定しない一部の外国では、商用電源の電圧そのものが定格電圧より低下している場合もある。
【０００７】
かかる状況で、定格風量を得るべくファン回転数を上げてトライしても、必要なファン回転数が十分に出ず、結果的にリトライを繰り返してファン回転数が決まらないという不便な事態が起こる場合がある。
また、電圧の問題のみならず、気温が異常に低いと空気の密度が高くなり、機外静圧が高くなる場合がある。このような場合にも、定格風量を得るファン回転数を探索することが困難になる可能性がある。
【０００８】
かかる従来の問題点に鑑み、本発明は、据付現地の事情がファン回転数の決定に不都合であっても、ファン回転数の決定を可能とすることを目的とする。
【課題を解決するための手段】
【０００９】
（１）本発明は、ダクトを用いて送風するファンを有する風量一定制御の空気調和機において、前記ダクトから所定の定格風量を出力させるために前記空気調和機が実行するファン回転数決定方法であって、最高風量レベルを第１タップ、それより低い風量レベルを第２タップとすると、（ｉ）前記第１タップで前記ファンを駆動し、前記ファンの風量が前記定格風量となるファン回転数を探索し、（ｉｉ）前記第１タップでファン回転数の探索ができれば、そのファン回転数を前記第１タップのファン回転数として決定し、また、前記定格風量に達しない状態が継続していることを検知すると、前記第２タップへの切り替えを実行し、（ｉｉｉ）前記第２タップで前記ファンを駆動し、前記ファンの風量が前記第２タップの風量となるファン回転数を探索し、（ｉｖ）前記第２タップで探索したファン回転数を前記第２タップのファン回転数として決定する、ファン回転数決定方法である。
【００１０】
このようなファン回転数決定方法によれば、ダクト型の空気調和機の例えば据付時に、ファンを駆動するための適正な電圧が得られれば第１タップでファン回転数を決定することができる。第２タップのファン回転数は、第１タップのファン回転数に基づいて決定することができる。一方、例えばファンを駆動するための電圧が不足している場合等、何らかの要因で第１タップでは定格風量に達しない場合がある。その場合、第１タップにこだわらず、第２タップに下げることにより、第２タップでファン回転数を決定することができる。第１タップのファン回転数は、第２タップのファン回転数に基づいて決定することができる。
【００１１】
（２）また、（１）のファン回転数決定方法において、前記第１タップでのファン回転数の探索中に、ファン回転数の修正が所定回数に達し、かつ、前記第１タップでのファン回転数の上限値を超えるファン回転数で前記ファンを駆動しようとすることをもって、前記定格風量に達しない状態が継続していると検知するようにしてもよい。
【００１２】
例えば、ファンを駆動する電圧が、適正な電圧より低い場合、適正な電圧であれば定格風量が得られるファン回転数であっても、定格風量に達しない状態となる。この状態になれば、ファン回転数を修正して（増大させて）定格風量を得ようとする動作が行われる。しかし、修正しても定格風量が得られない場合は、ファン回転数をさらに修正して（増大させて）定格風量を得ようとする動作が行われる。以下同様に、ファン回転数修正の回数が増える。従って、ファン回転数の修正が所定回数に達し、かつ、第１タップでのファン回転数の上限値を超えるファン回転数でファンを駆動しようとすることをもって、定格風量に達しない状態が継続していると検知することができる。
【００１３】
（３）また、（１）のファン回転数決定方法において、前記第１タップでのファン回転数の探索中に、ファン回転数の修正が所定回数に達し、かつ、前記ファンの運転電力が前記第１タップでの運転電力の下限値より少ない状態であることをもって、前記定格風量に達しない状態が継続していると検知するようにしてもよい。
【００１４】
ファン回転数の割に、運転電力が少ない（風量が少ない）場合、ファン回転数を修正して（増大させて）所定の電力に到達させようとする動作が行われる。しかし、修正しても所定の電力に到達しない場合は、ファン回転数をさらに修正して（増大させて）所定の電力に到達させようとする動作が行われる。以下同様に、ファン回転数修正の回数が増える。従って、ファン回転数の修正が所定回数に達し、かつ、ファンの運転電力が第１タップでの運転電力の下限値より少ない状態であることをもって、定格風量に達しない状態が継続していると検知することができる。
【００１５】
（４）一方、本発明の空気調和機は、ダクトを用いて送風するファンと、前記ファンの駆動制御を行う機能を有する制御部と、を備える風量一定制御の空気調和機であって、最高風量レベルを第１タップ、それより低い風量レベルを第２タップとすると、
前記制御部は、前記第１タップで前記ファンを駆動し、前記ファンの風量が定格風量となるファン回転数を探索し、前記第１タップでファン回転数の探索ができれば、そのファン回転数を前記第１タップのファン回転数として決定し、また、前記定格風量に達しない状態が継続していることを検知すると、前記第２タップへの切り替えを実行し、前記第２タップで前記ファンを駆動し、前記ファンの風量が前記第２タップの風量となるファン回転数を探索し、前記第２タップで探索したファン回転数を前記第２タップのファン回転数として決定するものである。
【００１６】
このようなダクト型の空気調和機においては、例えば据付時に、ファンを駆動するための適正な電圧が得られれば第１タップでファン回転数を決定することができる。第２タップのファン回転数は、第１タップのファン回転数に基づいて決定することができる。一方、例えばファンを駆動するための電圧が不足している場合等、何らかの要因で第１タップでは定格風量に達しない場合がある。その場合、第１タップにこだわらず、第２タップに下げることにより、第２タップでファン回転数を決定することができる。第１タップのファン回転数は、第２タップのファン回転数に基づいて決定することができる。
【発明の効果】
【００１７】
本発明によれば、据付現地の事情がファン回転数の決定に不都合であっても、ファン回転数を決定することができる。
【図面の簡単な説明】
【００１８】
【図１】ダクトを用いて送風するファンを有する、ダクト型の空気調和機の一例を示す側面図である。
【図２】室内機の内部構造の一例を示す断面図である。
【図３】ファン回転数と風量との関係の一例を示す特性図である。
【図４】据付時のファン回転数決定の機能にのみ着目した空気調和機の室内機のブロック図である。
【図５】制御部によって実行されるファン回転数決定方法を示すフローチャートである。
【発明を実施するための形態】
【００１９】
《空気調和機としての全体構成（主要部のみ）》
図１は、ダクトを用いて送風するファンを有する、ダクト型の空気調和機１の一例を示す側面図である。ダクト型の空気調和機１は、例えば天井裏に取り付けられる。当該空気調和機１は、天井２に設けられた吸気口１ａから室内の空気を吸い込むための吸い込み側ダクト１ｂと、室内機１ｃと、天井２に設けられた吹出口１ｅへ空気を送り出すための吹き出し側ダクト１ｄとを備えている。室内機１ｃと吸い込み側ダクト１ｂとの間には、塵埃を取り除くフィルターチャンバー１ｆが設けられている。
【００２０】
図２は、室内機１ｃの内部構造の一例を示す断面図である。室内機１ｃは、筐体１０の中に、主な構造部品として、吸気及び吹き出しを行うファン１１と、熱交換器１２とを備えている。なお、室内機１ｃは、図示しない室外機と冷媒配管を介して接続されている。ファン１１によって吸い込まれた空気は、熱交換器１２と熱交換して、冷気又は暖気となり、室内に吹き出される。
【００２１】
《特性の例示》
図３は、ファン回転数と風量との関係の一例を示す特性図である。上記のようなダクト型の空気調和機１を据え付けた後、ダクトの形態に依存する機外静圧に応じたファン回転数を決定する必要がある。ここで、商用電源から供給される電圧が適正値であり、その他の特殊な事情（例えば極めて低温）も無い場合、実線で示す特性が得られるとする。すなわち、ファン回転数を増大させると、それに応じて、風量が増大する。
【００２２】
ファン回転数ＮＨでは、Ｈタップの風量（定格風量）が得られ、ファン回転数ＮＭでは、Ｍタップの風量が得られ、また、ファン回転数ＮＬでは、Ｌタップの風量が得られる。
すなわち、ここでは、複数レベルの風量のうち最高の風量がＨタップ（第１タップ）、それより低い風量がＭタップ（第２タップ）、さらに低い風量がＬタップ（第３タップ）である。機外静圧に関わらず風量一定制御を行う空気調和機では、定格風量を得るためのファン回転数を決定する決定タップは通常Ｈタップであるが、本実施形態ではＭタップも使用する。
【００２３】
ここで、例えば電圧が適正値を割り込んだとすると、ファン回転数を上げてもその割に電力が出ず、風量が出ない。従って、例えば点線で示すような特性となる。この場合、Ｈタップで定格風量を得ようとすると、ファン回転数をＮＨＸまで上げなければならないが、電圧が低いのでそこまで上げることはできない。従って、Ｈタップで定格風量を得ようとして何度トライしても、成就せず、ファン回転数を決定できない事態となる。ファン回転数が決まらないと、据付時の設定作業は、一旦、未完に終わる。これは、据付工事をする側にとって、非常に都合が悪い。そこで、以下のようなハードウェア構成及びこれを用いてソフトウェアにより実現される機能により、ファン回転数の決定を行う。
【００２４】
《ファン回転数決定のためのハードウェア構成》
図４は、据付時のファン回転数決定の機能にのみ着目した空気調和機の室内機１ｃのブロック図である。室内機１ｃは、ファン（モータを含む。）１１と、制御部１３とを備えている。制御部１３はファンを駆動するための駆動部１３ａと、機能部としてのファン回転数決定部１３ｂとを備えている。ファン１１にはファン回転数センサ（図示せず。）が内蔵されており、ファン回転数の情報をファン回転数決定部１３ｂに提供する。また、ファン回転数決定部１３ｂは、駆動部１３ａから、ファン１１に提供している運転電力の情報を受け取る。ファン回転数決定部１３ｂは、駆動部１３ａに対し、選択するタップの指示、及び、ファン回転数の指示を行う。
【００２５】
《ファン回転数決定方法》
次に、主として据付時の、ファン回転数決定方法について説明する。
図５は、制御部１３（ファン回転数決定部１３ｂ）によって実行されるファン回転数決定方法を示すフローチャートである。
図において、現地に空気調和機を据付後初めて、作業者がファン回転数の決定を行う操作をすると、制御部１３は、まず、タップ切替が必要な条件を満たしているかの、「切替判定１」を行う（ステップＳ１）。
【００２６】
具体的には、制御部１３は、以下の４条件（ａ）〜（ｄ）が、ＡＮＤ条件として全て成り立つかどうか、を判定する。すなわち、
（ａ）Ｈタップが選択されていること、
（ｂ）駆動部１３ａへ指示するファン回転数が、Ｈタップのファン回転数上限値より高いファン回転数となっていること、
（ｃ）ファン回転数の修正回数が、既に所定回数Ｎｈ１に達していること、及び、
（ｄ）Ｍタップへ切り替えてファン回転数を探索することが許可（Ｍタップへの切替フラグが「１」）されていること、である。
なお、Ｎｈ１には、空気調和機の機種に応じて適切な自然数を設定することができる。
【００２７】
ここで、上記（ａ）は、Ｍタップに切り替えるための前提条件である。（ｂ）は、Ｈタップのファン回転数上限値より高い、いわば指示してもそのようなファン回転数は出ないところまで高いファン回転数が指示されていることである。（ｃ）は、ファン回転数を探索するために既にファン回転数の修正が所定回数以上行われていることである。（ｄ）は、言い換えれば、例えばパワーが十分にあってＭタップへの切替など不要な機種ではないこと、である。
【００２８】
ステップＳ１において「Ｙｅｓ」となる場合については後述する。
商用電源から提供されている電圧が適正値であれば、例えば、（ｂ）、（ｃ）の条件は成立しないので、ステップＳ１の判定は「Ｎｏ」となり、制御部１３は、運転電力が所定範囲内か否かを判定する（ステップＳ２）。すなわち、通常想定される運転電力の下限値をＰｍｉｎ、上限値をＰｍａｘとして、単位時間あたりの平均的な電力ＰＡＶが、
Ｐｍｉｎ≦ ＰＡＶ ≦Ｐｍａｘ
であるならば、「Ｙｅｓ」となり、制御部１３は、定格風量を得るためのファン回転数を決定する（ステップＳ８）。
【００２９】
一方、ステップＳ２で「Ｎｏ」の場合、制御部１３は、Ｈタップでファン回転数を決定することが妥当か否かを判定する（ステップＳ３）。ここで制御部１３は、以下の条件（ｅ）、（ｆ）、（ｇ）がＡＮＤ条件として全て成り立つか否かを判定する。すなわち、
（ｅ）回転数修正回数が、所定回数Ｎｈ０以上であること、
（ｆ）現在、Ｈタップであること、及び、
（ｇ）Ｍタップに切り替える必要がないこと、である。
なお、Ｎｈ０には、空気調和機の機種に応じて適切な自然数を設定することができる。
【００３０】
上記（ｅ）は、既に十分な回数、ファン回転数の修正を行い、これ以上やっても時間の無駄であるという条件である。（ｆ）は前提条件である。また、（ｇ）は、さらに具体的には、以下の条件のいずれか（ＯＲ）に該当することである。すなわち、
（ｇ１）例えばパワーのある機種で、Ｍタップへの切替フラグが「０」であること、又は、（ｇ２）Ｍタップへの切替は可能な機種（切替フラグは「１」）ではあるが、運転電力ＰＡＶが、上限値Ｐｍａｘを上回っていること、である。（ｇ２）は、言い換えれば、仮に運転電力が、想定される上限値に達しないのであれば電圧低下の可能性があり、Ｍタップへ切替を行うべきであるが、運転電力が上限値を超えているのであればＭタップにトライする必要が無い、という事象である。
【００３１】
ステップＳ３で「Ｙｅｓ」であれば、制御部１３は、Ｈタップの風量を得るためのファン回転数を決定する（ステップＳ８）。
一方、ステップＳ３で「Ｎｏ」であれば、制御部１３は、Ｍタップで回転数修正が所定回数行われた否かを判定する（ステップＳ４）。具体的には、Ｍタップが選択されていること、及び、ファン回転数の修正回数がＮｍ回に達していること、のＡＮＤ条件が成立することを要する。ステップＳ４で「Ｙｅｓ」であれば、制御部１３は、Ｍタップの風量を得るためのファン回転数を決定する（ステップＳ８）。
なお、Ｎｍには、空気調和機の機種に応じて適切な自然数を設定することができる。
【００３２】
ステップＳ４で「Ｎｏ」であれば、制御部１３は、タップ切替が必要な条件を満たしているかの、「切替判定２」を行う（ステップＳ５）。
【００３３】
具体的には、制御部１３は、以下の４条件（ｈ）〜（ｋ）が、ＡＮＤ条件として全て成り立つかどうか、を判定する。すなわち、
（ｈ）運転電力の単位時間の平均値ＰＡＶが、想定される下限値Ｐｍｉｎより小さいこと、
（ｉ）ファン回転数の修正回数が、既に所定回数Ｎｈ２に達していること、
（ｊ）Ｈタップが選択されていること、
（ｋ）Ｍタップへ切り替えてファン回転数を探索することが許可（Ｍタップへの切替フラグが「１」）されていること、である。
なお、Ｎｈ２には、空気調和機の機種に応じて適切な自然数を設定することができる。
【００３４】
ステップＳ５において「Ｙｅｓ」となる場合については後述する。
ステップＳ５において「Ｎｏ」であれば、制御部１３は、ファン回転数の指示回転数を修正し（ステップＳ７）、ステップＳ１に戻り、同様の処理を繰り返す。修正の回数は、累積的にカウントされて行く。
【００３５】
ファン回転数の修正をしながら、ＨタップでステップＳ２，Ｓ３のいずれかの判定が「Ｙｅｓ」になれば、制御部１３は、Ｈタップの風量を得るためのファン回転数を決定する（ステップＳ８）。
【００３６】
さて、例えば、ファン１１を駆動する電圧が、適正な電圧より低い場合、適正な電圧であれば定格風量が得られるファン回転数であっても、定格風量に達しない状態となる。この状態になれば、ファン回転数を修正して（増大させて）定格風量を得ようとする動作が行われる。しかし、修正しても定格風量が得られない場合は、ファン回転数をさらに修正して（増大させて）定格風量を得ようとする動作が行われる。以下同様に、ファン回転数修正の回数が増える。従って、ファン回転数の修正が所定回数に達し、かつ、Ｈタップでのファン回転数の上限値を超えるファン回転数でファン１１を駆動しようとすることをもって、定格風量に達しない状態が継続していると検知することができる。ステップＳ１において「Ｙｅｓ」となるのは、このような場合である。
【００３７】
ステップＳ１において「Ｙｅｓ」であれば、制御部１３は、ＨタップからＭタップへの切替を行う（ステップＳ６）。これにより、Ｍタップのファン回転数を基準としてファン回転数の探索を行うことになる。また、目標運転電力をＭタップ目標で算出する。さらに、ファン回転数修正回数をリセットして０にする。そして、制御部１３は、最初の指示回転数修正（ステップＳ７）を行い、ステップＳ１に戻る。
その結果、ステップＳ２，Ｓ４のいずれかの判定が「Ｙｅｓ」になれば、制御部１３は、Ｈタップの定格風量に対応するＭタップの風量を得るためのファン回転数を決定する（ステップＳ８）。
【００３８】
また、ファン回転数の割に、運転電力が少ない（風量が少ない）場合、ファン回転数を修正して（増大させて）所定の電力に到達させようとする動作が行われる。しかし、修正しても所定の電力に到達しない場合は、ファン回転数をさらに修正して（増大させて）所定の電力に到達させようとする動作が行われる。以下同様に、ファン回転数修正の回数が増える。従って、Ｈタップでファン回転数の探索中に、ファン回転数の修正が所定回数（Ｎｈ２）に達し、かつ、ファンの運転電力がＨタップでの運転電力の下限値（Ｐｍｉｎ）より少ない状態であることをもって、定格風量に達しない状態が継続していると検知することができる。ステップＳ５において「Ｙｅｓ」となるのは、このような場合である。
【００３９】
ステップＳ５において「Ｙｅｓ」であれば、制御部１３は、ＨタップからＭタップへの切替を行う（ステップＳ６）。これにより、Ｍタップのファン回転数を基準としてファン回転数の探索を行うことになる。また、目標運転電力をＭタップ目標で算出する。さらに、ファン回転数修正回数をリセットして０にする。そして、制御部１３は、最初の指示回転数修正（ステップＳ７）を行い、ステップＳ１に戻る。
その結果、ステップＳ２，Ｓ４のいずれかの判定が「Ｙｅｓ」になれば、制御部１３は、Ｈタップの定格風量に対応するＭタップの風量を得るためのファン回転数を決定する（ステップＳ８）。
【００４０】
以上のようなファン回転数決定方法によれば、ダクト型の空気調和機の据付時に、ファンを駆動するための適正な電圧が得られればＨタップでファン回転数を決定することができる。Ｍタップのファン回転数は、Ｈタップのファン回転数に基づいて決定することができる。一方、例えばファンを駆動するための電圧が不足している場合等、何らかの要因でＨタップでは定格風量に達しない場合がある。その場合、Ｈタップにこだわらず、Ｍタップに下げることにより、Ｍタップでファン回転数を決定することができる。Ｈタップのファン回転数は、Ｍタップのファン回転数に基づいて決定することができる。
【００４１】
また、ステップＳ３，Ｓ４の処理によって、Ｈタップ又はＭタップでの風量に相当するファン回転数及び運転電力に到達できなくても、言い換えれば多少の不足はあっても、ファン回転数は決定されることで、ファン回転数が決定できないままの状態になることを、防止することができる。すなわち、図５のフローチャートに示す処理は、必ずステップＳ８に至り、終了する。
【００４２】
《その他》
なお、上記のファン回転数決定方法は、主としてダクト型の空気調和機の据付時に用いられるが、長期の使用によるダクトの汚れ等により通風抵抗が変わる場合もあるので、必要により、据付後に実行してもよい。
【００４３】
また、上記実施形態では、電圧が定格電圧より低下することを想定して、ＨタップからＭタップへの切替をすることを説明したが、例えば、据付時の気温が異常に低い場合にも同様に、ファンにとっては荷が重い状態となる。従って、このような場合にも、Ｈタップで定格風量が出ないのであれば、Ｍタップにてファン回転数を決定することができる。
【００４４】
また、上記実施形態では、ＨタップからＭタップへの切替をすることについて説明したが、Ｍタップでもファン回転数を決定できない場合には、さらにＬタップへ切り替えてＬタップでファン回転数を決定することも、実用性はともかく、基本的には可能である。
【符号の説明】
【００４５】
１  空気調和機
１ａ  吸気口
１ｂ  吸い込み側ダクト
１ｃ  室内機
１ｄ  吹き出し側ダクト
１ｅ  吹出口
１ｆ  フィルターチャンバー
２  天井
１０  筐体
１１  ファン
１２  熱交換器
１３  制御部
１３ａ  駆動部
１３ｂ  ファン回転数決定部
【図１】
0006052271.tif 000002
【図２】
0006052271.tif 000003
【図３】
0006052271.tif 000004
【図４】
0006052271.tif 000005
【図５】
0006052271.tif 000006